(57)【要約】【課題】作業者の足場を状況に応じて所望の高さに調節することができる作業台を、低コスト、低重量にて提供する。【解決手段】作業者が乗載するための作業台板２、作業台板２を電柱Ｐに固定させる固定手段３を具備して構成される作業台１に用いられる昇降台６であって、作業者が乗載するための昇降台板３０、昇降台板３０と連結し、昇降台板３０の高さを変化させる調節手段、調節手段と連結し、作業台板３０に着脱可能な着脱手段３３，３４を具備する。調節手段は、昇降台板３０に固定された柱３１、柱３１をスライド可能に挿通させる筒状部３９、柱に穿設された調節孔４０、調節孔４０に挿通可能な固定ピン３２を具備して構成される。【選択図】図１
2006336296.tif 000002
【特許請求の範囲】
【請求項１】
作業者が乗載するための作業台板、前記作業台板を電柱に固定させる固定手段を具備して構成される作業台に用いられる昇降台であって、
作業者が乗載するための昇降台板、
前記昇降台板と連結し、該昇降台板の高さを変化させる調節手段、
前記調節手段と連結し、前記作業台板に着脱可能な着脱手段、
を具備する作業台着脱式昇降台。
【請求項２】
前記調節手段は、
前記昇降台板に固定された柱、
前記柱をスライド可能に挿通させる筒状部、
前記柱に穿設された調節孔、
前記調節孔に挿通可能な固定ピン、
を具備して構成されることを特徴とする請求項１記載の作業台着脱式昇降台。
【請求項３】
前記着脱手段は、
前記作業台板の上面に当接する上側固定部材、
前記作業台板の下面に当接する下側固定部材、
前記上側固定部材と前記下側固定部材とを互いに固定させる固定具、
を具備して構成される請求項１又は２に記載の作業台着脱式昇降台。
【請求項４】
作業者が乗載するための作業台板、
前記作業台板を電柱に固定させる固定手段、
前記請求項１〜３いずれか１つに記載の作業台着脱式昇降台、
を具備する作業台。
【発明の詳細な説明】
【技術分野】
【０００１】
本発明は、活線作業時等において電柱に固定して使用され作業者の足場となる作業台に関し、特に状況に応じて作業者の足場の高さを調節可能にする手段に関するものである。
【背景技術】
【０００２】
図８に示す従来の作業台１００は、作業者が乗載する作業台板１０１と、電柱Ｐに巻回されるチェーン、作業台板１０１の下方において電柱Ｐにあてがわれ該作業台板１０１を下面から支持する棒、該棒と作業台板１０１とを連結させるチェーン等からなる固定手段１０２とを有して構成され、作業者は固定された作業台板１０１上で活線作業等を行う。しかしながら、電柱に作業台を取り付ける際に、この電柱に予め装着されているバンド等の障害物のために、作業台を所望の位置に取り付けることができない場合があり、このような場合には作業者は無理な体勢での作業を強いられることとなる。
【０００３】
このような問題に対処するものとして、次のような発明が開示されている。この従来の作業台は、電柱へ巻回して締着固定するためのベルトを配した締着部と、該締着部に接続して電柱上の固定物との間に配した張線器の操作により上下移動自在なスライド連結材を所定角度の水平方向へ可回動的に設けた取付台部と、スライド連結材と接続する踏板の先端部に軸によって回動可能に連結重合する補助板を、所定角度で位置固定可能とする作業板部とにより構成されるものであり（特許文献１参照）、これにより作業者が乗載する作業板部全体が上下にスライド可能となると共に、電柱（取付台部）を中心に扇状に回動可能となるものである。また、作業者の足場を変位させるために、油圧ポンプや電動モータ等を利用する機構も考えられている。
【特許文献１】実開平６−５６３２７号公報
【発明の開示】
【発明が解決しようとする課題】
【０００４】
しかしながら、上記特許文献１に開示される作業台においては、取付台部の上下方向の長さが、図８に示すような通常の作業台よりも、少なくとも上下方向のスライド範囲だけ長くなければならないため（同文献図２参照）、電柱上のバンド等の障害物を避けるために、所望の場所から大きくずらして取り付けなければならない場合がある。また、機構自体が複雑であるため、取付作業に手間がかかり、コスト、重量が大きくなるという問題もある。また、油圧ポンプや電動モータ等を利用する場合、コスト、重量の問題が更に大きくなることが予想される。
【０００５】
そこで、本発明は、作業者の足場を状況に応じて所望の高さに調節することができる作業台を、低コスト、低重量にて提供することを課題とするものである。
【課題を解決するための手段】
【０００６】
上記課題の解決を図る本発明は、作業者が乗載するための作業台板、前記作業台板を電柱に固定させる固定手段を具備して構成される作業台に用いられる昇降台であって、作業者が乗載するための昇降台板、前記昇降台板と連結し、該昇降台板の高さを変化させる調節手段、前記調節手段と連結し、前記作業台板に着脱可能な着脱手段を具備する作業台着脱式昇降台である（請求項１）。
【０００７】
この構成により、作業者の足場の高さを調節する必要がある時だけ昇降台を装着し利用することができ、不要時や運搬時には、作業台と昇降台とを別体にしておくことができる。また、従来の作業台にも用いることができるので、不要なコスト増加を防ぐことができる。
【０００８】
また、上記請求項１記載の構成において、前記調節手段は、前記昇降台板に固定された柱、前記柱をスライド可能に挿通させる筒状部、前記柱に穿設された調節孔、前記調節孔に挿通可能な固定ピンを具備して構成されることが好ましい（請求項２）。
【０００９】
この構成によれば、固定ピンを調節孔に挿通させることにより、柱のスライドを止めることができるので、昇降台板の高さを任意に決定することができる。また、油圧ポンプや電動モータ等を利用する自動型の機構に比べて、低コスト且つ低重量化を図ることができる。
【００１０】
また、上記請求項１又は２記載の構成において、前記着脱手段は、前記作業台板の上面に当接する上側固定部材、前記作業台板の下面に当接する下側固定部材、前記上側固定部材と前記下側固定部材とを互いに固定させる固定具を具備して構成されることが好ましい（請求項３）。
【００１１】
この構成によれば、上側固定部材と下側固定部材とを、ボルト、ナット等の所定の固定具により、作業台板を挟むようにして固定させることができる。そして、上側固定部材、下側固定部材の一方（又は両方）に、前記調節手段の一部（例えば、請求項２の構成においては筒状体）を固定することにより、昇降台全体が作業台板に対して着脱可能となる。
【００１２】
以上のように、上記請求項１〜３いずれかに記載の作業台着脱式昇降台を具備する作業台（請求項４）を用いることにより、低コスト且つ低重量にて、作業者に良い作業環境を与えることができる。
【発明を実施するための最良の形態】
【００１３】
以下、添付した図面を参照して本発明の実施例を説明する。
【実施例１】
【００１４】
本発明に係る作業台１は、図１〜図３に示すように、作業者が乗載する作業台板２、作業台板２を電柱Ｐに固定させる固定手段３、そして作業台板２上に設置され高さの調節が可能な昇降台６を備えて構成される。本実施例において固定手段３は、作業台板２と電柱Ｐとを連結させる連結手段４、作業台板２を下面側から支持する支持手段５により構成される。
【００１５】
作業台板２は、図１及び図２に示すように、上面視長方形状（長さ９００ｍｍ、幅３００ｍｍ程度）の硬質の部材であり、その上面に滑り止めの溝及びリブ１０が形成されている。連結手段４は、図１及び図２に示すように、固定板１５、固定具１６、固定チェーン１７、締結具１８等の部材により構成される。固定板１５は、作業台板２の一端部２ａにボルト、ナット等の固定具１６により固定され、該固定板１５の一端部１５ａが連結具１９を介して固定チェーン１７と連結すると共に、他端部１５ｂが締結力の調節が可能な締結具１８を介して固定チェーン１７と連結している。固定チェーン１７は、取付時において電柱Ｐに巻回され、締結具１８により適当な強さで電柱Ｐに締め付けられる。支持手段５は、図１に示すように、支持棒２１、支持チェーン２４等の部材により構成される。支持棒２１は、その一端部２１ａが作業台板２の下面に固定された軸支部２２に回動可能に固定され、他端部２１ｂには作業台板２の下方において電柱Ｐに当接する当接部２３が設けられる。支持チェーン２４は、その一端部２４ａが作業台板２の下面に固定されると共に、他端部２４ｂが支持棒２１に固定される。
【００１６】
昇降台６は、図１〜図３に示すように、昇降台板３０、柱３１、固定ピン３２、上側固定部材３３、下側固定部材３４、固定具３５等を具備して構成される。
【００１７】
昇降台板３０は、アルミ材等からなり、作業台板２よりも幅広の長方形状（長さ５００ｍｍ、幅３５０ｍｍ程度）に形成され、表面に滑り止めの溝が形成され、外縁部に足等を掛けることができるアーチ状のガイド３７が設けられている。
【００１８】
柱３１は、本実施例においては図１、図３に示すように、作業台板２の両脇に２本設けられ、昇降台板３０の下面から垂下するように該昇降台板３０と一体に形成され、それぞれの柱３１に複数（本実施例では３つ）の調節孔４０が穿設されている。柱３１の長さは４００ｍｍ程度、調節孔４０の上下間隔は１００ｍｍ程度であることが好ましい。また、柱３１は、上側固定部材３３に固定された筒状体３９に摺動可能に挿通されている。
【００１９】
固定ピン３２は、前記調節孔４０に挿通可能な形状を有し、また図４に示すように、その先端に屈折部４３が形成されている。屈折部４３は、固定ピン３２本体に軸４４によって回動可能に支持され、調節孔４０への挿通後、この先端部４３を屈折させることにより、固定ピン３２が調節孔４０から抜けるのを防止する効果を奏するものである。固定ピン３２が調節孔４０に挿通され筒状体３９の上面に当接することにより、柱３１の下降が妨げられ、作業者の足場となる昇降台板３０の高さが決定する。また、固定ピン３２には、図１に示すように、リング部４７が形成され、このリング部４７に筒状体３９に一端が固定されたワイヤ４８が連結されていることにより、固定ピン３２の紛失防止が図られている。
【００２０】
上側固定部材３３は、図１、図３、図５に示すように、作業台板２の上面に当接するように配置され、前記筒状体３９が一体的に固定され、下側固定部材３４とボルト、ナット等の適宜な固定具３５により固定される。
【００２１】
下側固定部材３４は、図１、図３、図６に示すように、作業台板２の下面に当接するように配置され、２つの部材からなり、これら両部材間に前記筒状体３９が挟まれるように配置される。前記上側固定部材３３及び下側固定部材３４は、作業台板２上のリブ１０が形成されている部分を除いて任意の場所に設置することができる。
【００２２】
上記構成により、作業者は、固定ピン３２をいずれかの調節孔４０に挿入することにより、昇降台板３０を任意の高さに固定することができる。この時、固定ピン３２の屈折部４３を屈折させることにより、作業中に固定ピン３２が抜けることを防止することができる。また、本構成に係る昇降台６は、上側固定部材３３、下側固定部材３４、及び固定具３５により作業台板２に固定される構造であるため、作業台１本体から任意且つ容易に着脱することができる。従って、従来の作業台にも用いることができ、また現場において必要に応じて着脱することも可能である。
【実施例２】
【００２３】
また、本発明に係る昇降台は、図７に示すように、昇降台５０の柱５１を４本とする構成であってもよい。これにより、安定性をより向上させることができる。
【図面の簡単な説明】
【００２４】
【図１】実施例１に係る作業台の正面図である。
【図２】実施例１に係る作業台の上面図である。
【図３】実施例１に係る作業台の右側面図である。
【図４】実施例１に係る作業台の固定ピンの構造を示す図である。
【図５】実施例１に係る作業台の昇降台板を取り除いた場合の上面図である。
【図６】実施例１に係る作業台の昇降台板及び上側固定部材を取り除いた場合の上面図である。
【図７】実施例２に係る作業台の構造を示す図である。
【図８】従来の作業台の構造を示す図である。
【符号の説明】
【００２５】
１  作業台
２  作業台板
３  固定手段
４  連結手段
５  支持手段
６，５０  昇降台
１７  固定チェーン
２１  支持棒
２４  支持チェーン
３０  昇降台板
３１，５１  柱
３２  固定ピン
３３  上側固定部材
３４  下側固定部材
３５  固定具
３９  筒状体
４０  調節孔
４３  屈折部
Ｐ  電柱
【図１】
2006336296.tif 000003
【図２】
2006336296.tif 000004
【図３】
2006336296.tif 000005
【図４】
2006336296.tif 000006
【図５】
2006336296.tif 000007
【図６】
2006336296.tif 000008
【図７】
2006336296.tif 000009
【図８】
2006336296.tif 000010